(57)【要約】【課題】戸開中に乗客が背負った荷物等で気が付かないで操作盤に寄り掛かり、戸開釦を押している場合、戸閉め動作ができないため操作盤から離れるように促す案内を行うエレベータの戸閉め案内装置を得る。【解決手段】エレベータのかご１が呼びに応答して目的階に到着した後、戸開し所定時間後に戸閉するとともに、戸開釦２ａが押されると、戸開延長を行うようにしたエレベータの戸制御装置において、戸開中に乗客が背負った荷物等で気が付かないでかご操作盤２に寄り掛かり、戸開釦を押している時に動作してかご操作盤を振動させ、かご操作盤から離れるように促す振動発生装置１５と、振動発生装置が動作しても、戸開中に乗客が背負った荷物等で気が付かないでかご操作盤に寄り掛かり、戸開釦を押している状態が継続すると、かご操作盤から離れるように促すアナウンスを行うオートアナウンス装置１６とを備える。【選択図】図１
2009143658.tif 000002
【特許請求の範囲】
【請求項１】
エレベータのかごが呼びに応答して目的階に到着した後、戸開し所定時間後に戸閉するとともに、戸開釦が押されると、戸開延長を行うようにしたエレベータの戸制御装置において、
戸開中に乗客が背負った荷物等で気が付かないでかご操作盤に寄り掛かり、前記戸開釦を押している時に動作して前記かご操作盤を振動させ、かご操作盤から離れるように促す振動発生装置を備えたことを特徴とするエレベータの戸閉め案内装置。
【請求項２】
エレベータのかごが呼びに応答して目的階に到着した後、戸開し所定時間後に戸閉するとともに、戸開釦が押されると、戸開延長を行うようにしたエレベータの戸制御装置において、
戸開中に乗客が背負った荷物等で気が付かないでかご操作盤に寄り掛かり、前記戸開釦を押している時に動作してかご操作盤から離れるように促すアナウンスを行うオートアナウンス装置を備えたことを特徴とするエレベータの戸閉め案内装置。
【請求項３】
エレベータのかごが呼びに応答して目的階に到着した後、戸開し所定時間後に戸閉するとともに、戸開釦が押されると、戸開延長を行うようにしたエレベータの戸制御装置において、
戸開中に乗客が背負った荷物等で気が付かないでかご操作盤に寄り掛かり、前記戸開釦を押している時に動作して前記かご操作盤を振動させ、かご操作盤から離れるように促す振動発生装置と、
かご内に設けられ、前記振動発生装置が動作しても、戸開中に乗客が背負った荷物等で気が付かないでかご操作盤に寄り掛かり、前記戸開釦を押している状態が継続すると、かご操作盤から離れるように促すアナウンスを行うオートアナウンス装置と、
を備えたことを特徴とするエレベータの戸閉め案内装置。
【請求項４】
振動発生装置又はオートアナウンス装置が動作しても、エレベータが走行しない場合は、戸開釦の故障と判断して外部に故障通知を行うことを特徴とする請求項１〜請求項３のいずれかに記載のエレベータの戸閉め案内装置。
【発明の詳細な説明】
【技術分野】
【０００１】
この発明は、乗客が背負った荷物等で気が付かないで操作盤に寄り掛かり、戸開釦を押している場合、戸閉め動作ができないため操作盤から離れるように促す案内を行うエレベータの戸閉め案内装置に関するものである。
【背景技術】
【０００２】
従来のエレベータでは、荷物の出し入れやエレベータの清掃で戸開が所定時間継続していることを検出した時は異常と判断し、戸閉めを促す音声情報や文字情報を出力する戸閉め装置があった。この戸閉め装置は、気が付かずに戸閉め釦が押された状態になっていた場合、戸閉めを促す音声情報や文字情報を出力しても効果はない。
【０００３】
また、エレベータの戸の制御装置に関する従来技術として、図３に示すものが提案されている（例えば、特許文献１参照）。
図３において、１はエレベータのかご、２はかご操作盤、２ａはかご操作盤２の戸開釦、３はオートアナウンス装置、４は乗場乗客検出装置、５は乗場押し釦、６はブザー、７はかご乗客検出装置、８はインターフェース回路、９は演算回路、１０はプログラム登録回路、１１は記録装置、１２はエレベータ制御回路、１３は通信装置、１４は保守会社監視センターである。そして、エレベータのかご１が呼びに応答して目的階に到着した後、戸開し所定時間後に戸閉するとともに、戸開釦２ａが押されると、戸開延長を行うようにしたものにおいて、戸開釦２ａが所定時間を超えて押されたままの状態にあることを検出した時、戸開釦２ａによる戸開機能を一時的に無効にする。また、乗場押し釦５が押されていると、戸開延長を行うようにしたものにおいて、乗場押し釦５が押された状態で、所定時間を超えて戸開が継続したことを検出した時、乗場押し釦５による戸開機能を一時的に無効にする。しかし、所定時間経過しても戸閉めしない場合、所定時間経過後、戸開機能を一時的に無効とする方法では戸開機能を一時的に無効とした時に乗客が乗ろうとした場合、戸に挟まれる恐れがある。
【０００４】
更にまた、戸が閉まらないようにして戸開状態にして、荷物の出し入れやエレベータの清掃等で所定時間継続している場合は、「ドアを閉めて下さい」と戸閉促進のアナウンスを流す戸閉装置が提案されている（例えば、特許文献２参照）。
【０００５】
【特許文献１】特開２００５−１９４０４９号公報
【特許文献２】特開平６−２０６６８１号公報
【発明の開示】
【発明が解決しようとする課題】
【０００６】
従来のエレベータの戸の制御装置では、戸開機能を一時的に無効にするため、その時に乗り込んできた乗客は突然戸が閉まるので、戸に挟まれる恐れがある。また、戸閉促進のアナウンスを流す戸閉装置では、戸が閉まらないようにしていることが明らかに判っているため効果があるが、エレベータのかご内で戸開中に乗客が背負った荷物等で気が付かないで操作盤に寄り掛かり、戸開釦を押した状態になっている時は、乗客は気が付かないため、戸閉促進のアナウンスを流して何度戸閉釦を押しても戸は閉まらず、走行ができない。特に、駅舎エレベータのように２方向に乗降口があり、身障者用操作盤が付いている場合は、最大６個の操作盤［（正、副、身障者）×２］が設けられ、荷物を背負った乗客等で満員の状態となると、操作盤の戸開釦やその他の釦も背負った荷物で押された状態になり易くなる。
【０００７】
この発明は、上述のような課題を解決するためになされたもので、戸開中に乗客が背負った荷物等で気が付かないで操作盤に寄り掛かり、戸開釦を押している場合、戸閉め動作ができないため操作盤から離れるように促す案内を行うエレベータの戸閉め案内装置を提供するものである。
【課題を解決するための手段】
【０００８】
この発明に係るエレベータの戸閉め案内装置は、エレベータのかごが呼びに応答して目的階に到着した後、戸開し所定時間後に戸閉するとともに、戸開釦が押されると、戸開延長を行うようにしたエレベータの戸制御装置において、戸開中に乗客が背負った荷物等で気が付かないでかご操作盤に寄り掛かり、戸開釦を押している時に動作してかご操作盤を振動させ、かご操作盤から離れるように促す振動発生装置を備えたものである。
【０００９】
また、戸開中に乗客が背負った荷物等で気が付かないでかご操作盤に寄り掛かり、戸開釦を押している時に動作してかご操作盤から離れるように促すアナウンスを行うオートアナウンス装置を備えたものである。
【００１０】
また、戸開中に乗客が背負った荷物等で気が付かないでかご操作盤に寄り掛かり、戸開釦を押している時に動作してかご操作盤を振動させ、かご操作盤から離れるように促す振動発生装置と、かご内に設けられ、振動発生装置が動作しても、戸開中に乗客が背負った荷物等で気が付かないでかご操作盤に寄り掛かり、戸開釦を押している状態が継続すると、かご操作盤から離れるように促すアナウンスを行うオートアナウンス装置とを備えたものである。
【００１１】
また、振動発生装置又はオートアナウンス装置が動作しても、エレベータが走行しない場合は、戸開釦の故障と判断して外部に故障通知を行うものである。
【発明の効果】
【００１２】
この発明によれば、エレベータのかご内で戸開中に乗客が背負った荷物等で気が付かないで操作盤に寄り掛かり、戸開釦を押している状態になっている時は、戸閉め動作ができないため、これを解消するためかご操作盤から離れるように促す。先ず、かご操作盤を振動させ、戸開釦を押した状態になっている人をかご操作盤から離れさせ、戸開釦をＯＦＦにして走行させる。それでも気が付かない場合は、「操作盤から離れて下さい」のアナウンスを行い、操作盤から乗客を離れさせ、戸開釦のＯＮ状態を解消し、戸閉めを促進し、戸開機能を無効とすることなく、安全に円滑な運転状態とすることができる。なお、最初にかご操作盤を振動させるのは、気が付かないで操作盤に寄り掛かり、戸開釦を押している人に恥ずかしい思いをさせないためである。振動発生によりかご操作盤からそっと離れ走行してしまえば、何故戸閉めせず走行しなかったのかは他の乗客には判らない。アナウンスすると、誰かがかご操作盤に寄り掛かっていたために、走行できなかったことが判ってしまい、操作盤から離れる人は気まずい思いをすることになるが、それを避けることが
できる効果がある。
【発明を実施するための最良の形態】
【００１３】
実施の形態１．
図１はこの発明の実施の形態１におけるエレベータの戸閉め案内御装置の全体構成を示すシステム構成図、図２はこの発明の実施の形態１におけるエレベータの戸閉め案内装置の戸閉め促進処理処理手順を示すフローチャートである。
【００１４】
図１において、１はエレベータのかご、２はかご１内に設けられたかご操作盤で、正操作盤、副操作盤、身障者用操作盤等がある。２ａはかご操作盤２に設けられた戸開釦で、正操作盤、副操作盤、身障者用操作盤等のそれぞれに設けられる。４は乗場乗客検出装置、５は乗場押し釦、６はブザー、７はかご乗客検出装置、８はインターフェース回路、９は演算回路、１０はプログラム登録回路、１１は記録装置、１２はエレベータ制御回路、１３は通信装置、１４は保守会社監視センターである。エレベータ制御装置１２は、各外部装置へのインターフェース回路８、演算回路９、プログラム登録回路１０、演算結果の記録装置１１等から構成されている。エレベータ制御装置１２には、電話回線を通して外部に通報する通信装置１３が接続されており、エレベータの保守会社の監視センター１４に故障を通報できるシステムとなっている。
１５はかご操作盤２に設けられた振動発生装置で、リック等の荷物を背負った乗客がかご操作盤２に寄り掛かり気が付かないで戸開釦２ａを押した状態になっている時に、かご操作盤２を振動させるものである。１６はかご１内に設けられたオートアナウンス装置で、リック等の荷物を背負った乗客がかご操作盤２に寄り掛かり気が付かないで戸開釦２ａを押した状態になっている時であって、かご操作盤２を振動させても、戸開釦２ａを押した状態が継続する場合は、例えば「操作盤から離れて下さい」等のアナウンスを行うものである。なお、上記振動発生装置１５及びオートアナウンス装置１６は単独で設けても良いが、双方を設ける場合は、先ず振動発生装置１４を動作させ、それでもかご操作盤２から離れない時にオートアナウンス装置１６を動作させる。
【００１５】
次に、図２により戸閉め促進処理手順について説明する。
通常は、戸開釦２ａが押された状態でＯＮになっていると、行き先階の呼びが登録された後、戸閉め釦何度押しても戸閉めせず、戸開の状態のままで目的階に走行しない。
先ず、スタートすると、ステップＳ１にて乗客が乗り込み、目的階の呼びを登録する。通常であれば、このままでも一定時間後戸閉めし、呼びの登録されている階へ走行する。ステップＳ１で戸が開いていると、ステップＳ２に進み戸閉め釦が押されたか否かを判断する。この状態で戸開のままであると、ステップＳ４に進み戸開釦２ａが押され点灯しているか否かを判断する。ここで、どれか１個所の戸開釦２ａが押されている状態であると、全ての戸開釦２ａが点灯するようになっている。戸開釦２ａが全て点灯していることは、何処かのかご操作盤２の戸開釦２ａが押された状態になっていることである。特に、混雑しているかご１内では、人に触れまいとして端の方に寄り、かご操作盤２やかご側壁に寄り掛かってしまうことが往々にしてある。そこで、ステップＳ５で戸開釦２ａが押された状態になっているかご操作盤２のみを振動発生装置１５により振動させ、何か異常な状態になっていることを戸開釦２ａを押した状態にしている人に気が付かせ、かご操作盤２から速やかに離れさせる。ここで、最初からアナウンスをしないのは、戸開釦２ａを押した状態にしている人に恥ずかしい思いをさせないためである。次に、かご操作盤２を振動させた後、かご操作盤２から離れ、戸開釦２ａが全て消灯し、戸が閉まったか否かを判断する（ステップＳ６）。この状態で戸閉めが終了すれば、走行を開始し（ステップＳ７）、完了となる（ステップＳ８）。
ステップＳ６で戸開釦２ａが消灯せず、戸閉めが終了しない時は、戸開釦２ａがまだ押された状態が継続していると判断し、ステップＳ９に進み、オートアナウンス装置１６により、例えば「操作盤から離れて下さい」等のアナウンスを行う。ステップＳ９でアナウンスを行った後、再度、ステップＳ６に戻り、かご操作盤２から離れ、戸開釦２ａが全て消灯し、戸が閉まったか否かを判断し、戸開釦２ａが全て消灯し、走行を開始すれば（ステップＳ７）、完了となる（ステップＳ８）。また、ステップＳ７で走行しない場合は、戸開釦２ａの固渋等の故障と判断し、保守会社監視センター１４等への故障通知を行う（ステップＳ１０）。
【００１６】
実施の形態１によれば、エレベータのかご内で戸開中に乗客が背負った荷物等で気が付かないで操作盤に寄り掛かり、戸開釦を押している状態になっている時は、戸閉め動作ができないため、これを解消するためかご操作盤から離れるように促す。先ず、かご操作盤を振動させ、戸開釦を押した状態になっている人をかご操作盤から離れさせ、戸開釦をＯＦＦにして走行させる。それでも気が付かない場合は、「操作盤から離れて下さい」のアナウンスを行い、操作盤から乗客を離れさせ、戸開釦のＯＮ状態を解消し、戸閉めを促進し、戸開機能を無効とすることなく、安全に円滑な運転状態とすることができる。なお、最初にかご操作盤を振動させるのは、気が付かないで操作盤に寄り掛かり、戸開釦を押している人に恥ずかしい思いをさせないためである。振動発生によりかご操作盤からそっと離れ走行してしまえば、何故戸閉めせず走行しなかったのかは他の乗客には判らない。アナウンスすると、誰かがかご操作盤に寄り掛かっていたために、走行できなかったことが判ってしまい、操作盤から離れる人は気まずい思いをすることになるので、それを避けるためである。
【図面の簡単な説明】
【００１７】
【図１】この発明の実施の形態１におけるエレベータの戸閉め案内御装置の全体構成を示すシステム構成図である。
【図２】この発明の実施の形態１におけるエレベータの戸閉め案内装置の戸閉め促進処理処理手順を示すフローチャートである。
【図３】従来のエレベータの戸の制御装置の全体構成を示すシステム構成図である。
【符号の説明】
【００１８】
１  エレベータのかご
２  かご操作盤
２ａ  戸開釦
３  オートアナウンス装置
４  乗場乗客検出装置
５  乗場押し釦
６  ブザー
７  かご乗客検出装置  
８  インターフェース回路  
９  演算回路  
１０  プログラム登録回路
１１  記録装置
１２  エレベータ制御装置  
１３  通信装置  
１４  保守会社監視センター  
１５  振動発生装置  
１６  オートアナウンス装置  
【図１】
2009143658.tif 000003
【図２】
2009143658.tif 000004
【図３】
2009143658.tif 000005